(57)【要約】【課題】表示面とタッチパネルとの間に設けられた隙間に入り込んだ塵埃を容易かつ迅速に除去することが可能な表示装置を提供すること。【解決手段】表示部１１１を有するＬＣＤ表示パネル１１と、このＬＣＤ表示パネル１１の周縁部に設けられたフロントベゼル１２と、ＬＣＤ表示パネル１１の表示部１１１と隙間を形成して対向配置するようにフロントベゼル１２に設けられたタッチパネル１３とを備えた表示装置において、フロントベゼル１２の側壁に表示部１１１に付着した塵埃を除去する清掃シートを挿脱自在な開口部を設ける。【選択図】    図２
2011011136.tif 000002
【特許請求の範囲】
【請求項１】
表示面を有する表示パネルと、
この表示パネルの周縁部に設けられ、前記表示面に付着した塵埃を除去する清掃部材を挿脱自在な開口部を有するフロントベゼルと、
前記表示パネルの表示面と隙間を形成して対向配置するように前記フロントベゼルに設けられたタッチパネルと、
を備えていることを特徴とする表示装置。
【請求項２】
前記フロントベゼルと前記タッチパネルとの間に介在して前記表示パネルの表示面に表示される画像の視野角を特定方向に制限する覗き見防止フィルムをさら備えていることを特徴とする請求項１に記載の表示装置。
【請求項３】
前記フロントベゼルは、略矩形枠状に形成され、
前記開口部は、前記フロントベゼルの少なくとも一辺に沿って略直線状に設けられていることを特徴とする請求項１又は２に記載の表示装置。
【請求項４】
前記開口部は、当該開口部が形成された前記フロントベゼルの一辺が保持する前記表示パネルの表示面幅よりも長い直線状に設けられていることを特徴とする請求項３に記載の表示装置。
【請求項５】
前記開口部は、前記フロントベゼルの一辺と該一辺に対向する一辺とに設けられ、これら開口部のいずれか一方から他方まで前記清掃部材を挿通可能であることを特徴とする請求項４に記載の表示装置。
【請求項６】
前記フロントベゼルは、一辺の前記開口部から挿通された前記清掃部材を前記表示パネルの表示面と摺接するように他方の開口部へと案内するガイド部を備えていることを特徴とする請求項５に記載の表示装置。
【発明の詳細な説明】
【技術分野】
【０００１】
本発明は、ＬＣＤ（Liquid Crystal Display）などの表示面上にタッチパネルが設けられた表示装置に関する。
【背景技術】
【０００２】
近年、タッチパネルをＬＣＤ表示パネルなどの表示面上に設けた表示装置を備えた電子機器が広く普及している。
【０００３】
しかしながら、銀行や公共施設に設置された自動預出金機のように不特定多数の者が使用する機器が備える表示装置は、使用によりタッチ面が徐々に汚れて不衛生となるとの問題がある。
【０００４】
かかる問題に対処すべく、例えば特許文献１に記載された入力装置が知られている。この入力装置は、タッチパネルのタッチ面を覆うように保護シートを張設し、電源投入時に該シートをモータで巻き取り、新しい部分をタッチ面上に対向させる構成を備えている。このようにすることでタッチ面を覆う保護シートを清浄かつ衛生的に保とうとするものである。
【発明の概要】
【発明が解決しようとする課題】
【０００５】
通常、タッチパネルは、ＬＣＤ表示パネルとの間にフロントベゼルを介在させて一定の隙間を設けて取り付けられている。このようにフロントベゼルを介在させて隙間を設けるのは、タッチパネルのタッチ操作時にＬＣＤ表示パネルが押圧を受け、表示面が一時的に変色するなどの不都合を防止するためである。
【０００６】
しかしながら、このように隙間を形成したことにより、表示装置の筐体の繋ぎ目などから表示装置内部に入り込んだ塵埃が該隙間に混入して表示面に付着し、画面の視認性が低下したり、ユーザに不快な印象を与えたりするとの問題が生じていた。
【０００７】
例えば各種店舗で会計処理に使用されるＰＯＳ（Point Of Sales）端末など業務の遂行に不可欠な機器が備える表示装置は、その使用時間も長いため上記の如く塵埃が入り混み易い。しかし、塵埃の除去には表示装置の分解を伴うため、ユーザが自ら対処することは難しく、メンテナンスサービス会社から派遣されたサービスマンに表示装置を分解して塵埃を除去してもらう必要があった。かかる対処方法では、一時的にＰＯＳ端末が使用できなくなり、業務に支障を来たしかねない。また、この問題はタッチパネルの表示パネル側を問題とするものであるから、タッチパネルのタッチ面側の衛生状態を好適に保とうとする上記特許文献１に係る発明を応用することは難しい。
【０００８】
本発明は、上記のような事情に基づいてなされたものであり、その目的は、表示面とタッチパネルとの間に設けられた隙間に入り込んだ塵埃を容易かつ迅速に除去することが可能な表示装置を提供することである。
【課題を解決するための手段】
【０００９】
本発明は、表示面を有する表示パネルと、この表示パネルの周縁部に設けられ、前記表示面に付着した塵埃を除去する清掃部材を挿脱自在な開口部を有するフロントベゼルと、前記表示パネルの表示面と隙間を形成して対向配置するように前記フロントベゼルに設けられたタッチパネルとを備えていることを特徴とする表示装置。
【発明の効果】
【００１０】
かかる手段を講じた本発明によれば、表示面とタッチパネルとの間に設けられた隙間に入り込んだ塵埃を容易かつ迅速に除去することが可能な表示装置を提供することができる。
【図面の簡単な説明】
【００１１】
【図１】第1の実施形態における表示装置を備えたＰＯＳ端末の概観斜視図。
【図２】同実施形態における表示装置の分解斜視図。
【図３】同実施形態における表示装置のＡ−Ａ断面図。
【図４】同実施形態における表示装置のＢ−Ｂ断面図。
【図５】同実施形態における表示装置への清掃シートの挿脱を説明するための図。
【図６】同実施形態における表示装置への清掃シートの挿脱を説明するための図。
【図７】第２の実施形態における表示装置の分解斜視図。
【発明を実施するための形態】
【００１２】
以下、本発明を実施するための第1の実施形態について、図面を参照しながら説明する。なお、本実施形態は、本発明を各種の商品販売店舗にて会計処理に使用されるＰＯＳ端末１が備える表示装置に適用した場合である。
【００１３】
図１〜図４を用いてＰＯＳ端末１の構成について説明する。図１はＰＯＳ端末１の外観斜視図である。ＰＯＳ端末１は、基台部２と表示装置３とで構成されている。基台部２は、制御の中枢として機能するＣＰＵ（Central Processing Unit），固定的データを記憶したＲＯＭ（Read Only Memory），作業用記憶エリアを形成するＲＡＭ（Random Access Memory），および各種デバイスのコントローラなどで構成される制御回路を搭載している。
【００１４】
図２は表示装置３の構造を示す分解斜視図、図３は図１における表示装置３のＡ−Ａ断面を示す断面図、図４は図１における表示装置３のＢ−Ｂ断面を示す断面図である。図２に示すように、表示装置３は、回路基板（不図示）を備えたバックカバー１０、表示部１１１およびバックライトシステム１１２からなる略矩形平板状のＬＣＤ表示パネル１１と、該パネル１１の周縁部に設けられた略矩形枠状のフロントベゼル１２と、ＬＣＤ表示パネル１１の表示部１１１（表示面）と対向配置するように前記フロントベゼル１２に設けられた略矩形平板状のタッチパネル１３と、ＬＣＤ表示パネル１１の表示部１１１と略同一形状の開口部を有する略矩形枠状のフロントカバー１４とで構成されている。
【００１５】
バックカバー１０は、基台部２の制御回路と通信ラインを介して電気的に接続され、表示部１１１の画面表示を制御する表示制御回路（不図示）や、タッチパネル１３のタッチ操作を検知してその操作位置を示す信号を取り込むタッチパネル制御回路（不図示）を備えている。
【００１６】
ＬＣＤ表示パネル１１は、バックカバー１０の表示制御回路とフレキシブルプリント基板を介して電気的に接続されている。前記表示制御回路は、前記フレキシブルプリント基板を介してＬＣＤ表示パネル１１に画像信号を供給して表示部１１１に選択的に画像を表示させる。
【００１７】
タッチパネル１３は、例えば抵抗膜方式を採用したものであり、微小な隙間を空けて２枚の透明導電膜を配置し、操作面側の透明導電膜の表面に光透過部材からなる保護フィルムを固着させた構成を有する。そして、前記保護フィルム上からのタッチ操作により前記２枚の透明導電膜が接触した際に生じる電圧変化に応じた信号を側方に設けられた出力端子１３１から出力する。該端子１３１は、バックカバー１０のタッチパネル制御回路とフレキシブルケーブルを介して電気的に接続されており、該タッチパネル制御回路はその信号に基づいてタッチ位置座標を算出する。
【００１８】
フロントベゼル１２には、図２〜図４に示すように、凸形状のガイド１２１が内周面全体にわたって形成されている。フロントベゼル１２の左右両辺の側壁には、ガイド１２１の凸面まで貫通した略直線状の開口部１２２ａ，１２２ｂが設けられ、上下両辺の内壁のガイド１２１の凸面には、開口部１２２ａ，１２２ｂの長手方向両端と平面をなす深さの略直線状の溝部１２３ａ，１２３ｂが設けられている。  
なお、開口部１２２ａ，１２２ｂの長手方向幅は、それぞれの開口部が設けられたフロントベゼル１２の一辺が保持するＬＣＤ表示パネル１１の表示部１１１の幅よりも長くしてある。後述の清掃シート３０にて表示部１１１の全面を清掃可能とするためである。
【００１９】
図３および図４に示したように、ＬＣＤ表示パネル１１の表示部１１１側はフロントベゼル１２のガイド１２１の一面と嵌め合い、フロントベゼル１２をバックカバー１０に取り付けると、ＬＣＤ表示パネル１１の周縁がバックカバー１０とフロントベゼル１２とに挟み込まれるようにして保持される。  
さらに、タッチパネル１３はフロントベゼル１２のガイド１２１の一面と嵌め合い、フロントカバー１４をフロントベゼル１２に取り付けると、タッチパネル１３の周縁がフロントカバー１４とフロントベゼル１２とに挟み込まれるようにして保持される。  
かくしてバックカバー１０、ＬＣＤ表示パネル１１、フロントベゼル１２、タッチパネル１３およびフロントカバー１４が一体となり、表示装置３が構成されている。
【００２０】
このようにフロントベゼル１２をＬＣＤ表示パネル１１とタッチパネル１３との間に介在させることで、ＬＣＤ表示パネル１１とタッチパネル１３との間に図３および図４に矢印で示した隙間ｈが形成される。この隙間ｈが形成されることで、ユーザがタッチパネル１３をタッチ操作した際にＬＣＤ表示パネル１１の表示部１１１が押圧を受けなくなり、表示部１１１に表示された画像の視認性が好適に保たれる。
【００２１】
次に、ＬＣＤ表示パネル１１の表示部１１１に付着した塵埃の除去方法について図４および図５に示したＰＯＳ端末１の外観斜視図を用いて説明する。  
ＰＯＳ端末１を設置した店舗には、フェルトなどの繊維材料で形成された略矩形平板状の清掃シート３０が用意されている。清掃シート３０の一方向幅は開口部１２２ａ，１２２ｂの長手方向幅よりも短くかつ上下両辺の側壁に設けられたガイド１２１の凸面間幅よりも長く形成され、さらに、清掃シート３０の厚さは開口部１２２ａ，１２２ｂの短手方向幅よりも若干短く形成されているため、清掃シート３０は、開口部１２２ａ，１２２ｂに挿脱自在となっている。
【００２２】
開口部１２２ａ，１２２ｂの一方から挿入された清掃シート３０は、フロントベゼル１２の上下両辺の側壁に設けられた溝部１２３ａ，１２３ｂにより当該他方の開口部へと案内される。清掃シート３０の一方口幅はフロントベゼル１２の左右側壁間の幅よりも長く形成されているため、開口部１２２ａ，１２２ｂの一方から挿入された清掃シート３０の後端部が当該一方の開口部に到達する前に、前端部が当該他方の開口部から突出する。このとき、当該他方から突出した清掃シート３０の先端を狭持して引っ張ることで、清掃シート３０を表示装置３内から抜き取ることができる。
【００２３】
清掃シート３０が開口部１２２ａ，１２２ｂから挿脱されると、清掃シート３０の一面とＬＣＤ表示パネル１１の表示部１１１とが摺接し、清掃シート３０により表示部１１１に付着した塵埃が絡み取られる。そして、清掃シート３０を表示装置３内から抜き取ると、塵埃が該シート３０により表示装置３内から押し出される。このような作業を行うことにより、隙間ｈ内の塵埃を表示装置３内から取り除くことができる。
【００２４】
以上説明したように、本実施形態における表示装置３は、ＬＣＤ表示パネル１１とタッチパネル１３との間に形成された隙間ｈに通じる一対の開口部１２２ａ，１２２ｂがフロントベゼル１２の左右両辺の側壁に設けられている。この開口部１２２ａ，１２２ｂから清掃シート３０を挿脱することで、表示部１１１に付着した塵埃を取り除くことができる。この作業は、サービスマンなどにより行う必要のない簡便なものであるので、店員などのユーザが容易かつ迅速に行うことができる。
【００２５】
また、開口部１２２ａ，１２２ｂは、ＬＣＤ表示パネル１１の表示部１１１よりも長く略直線状に設けられている。したがって、清掃シート３０を用いて表示部１１１の全面を清掃することができる。
【００２６】
また、開口部１２２ａ，１２２ｂは、フロントベゼル１２の左右両辺の側壁に設けられている。したがって、開口部１２２ａ，１２２ｂの一方から挿入された清掃シート３０を他方から抜き取ることができるので、表示部１１１の全面を十分に清掃シート３０で摺接することができる。
【００２７】
また、フロントベゼル１２の上下両辺の内壁に設けられたガイド１２１は、清掃シート３０を案内する溝部１２３ａ，１２３ｂを備えている。したがって、開口部１２２ａ，１２２ｂのいずれか一方から挿入された清掃シート３０は、溝部１２３ａ，１２３ｂに案内されて表示部１１１を摺接しながら確実に他方の開口部へと到達する。ひいて言えば、清掃シート３０の挿脱動作に際して効率よく表示部１１１を摺接することができる。
【００２８】
次に、本発明の第２の実施形態について図７を参照しながら説明する。
【００２９】
本実施形態では、表示装置３に覗き見防止フィルムを取り付けた点で第1の実施形態と異なる。なお、第1の実施形態と同一の箇所には同一の符号を付してその説明を省略する。
【００３０】
図７は、表示装置３の分解斜視図である。本実施形態における表示装置３は、ＬＣＤ表示パネル１１とタッチパネル１３との間に、表示部１１１の全体を覆う大きさの略矩形平板状に形成された覗き見防止フィルム１５を備えている。
【００３１】
覗き見防止フィルム１５は、例えばルーバー層を略透明の表面基材および裏面基材にて挟み込んで構成されている。前記ルーバー層は、その表面に平行な面内方向に沿って所定間隔で互いに平行に延在する複数の微小ルーバーを有し、この微小ルーバーの作用により透過光の進行方向を所定の出射角度範囲内に制限する。
【００３２】
覗き見防止フィルム１５の一面には、略透明の粘着層が形成されており、該粘着層が形成された一面をタッチパネル１３の裏面側に張り合わせることで、タッチパネル１３に対して固着される。そして、前実施形態にて説明したように、覗き見防止フィルム１５が貼付されたタッチパネル１３は、フロントベゼル１２とフロントカバー１４とに挟み込まれるようにして固定される。
【００３３】
このように覗き見防止フィルム１５を加えて表示装置３を構成した場合にあっては、ＬＣＤ表示パネル１１の表示部１１１とタッチパネル１３に貼付された覗き見防止フィルム１５との間に隙間ｈが形成される。したがって、隙間ｈに塵埃が入り込んで表示部１１１に付着し、視認性の低下などを招き得る。
【００３４】
そこで、表示部１１１に付着した塵埃を除去すべく開口部１２２ａ，１２２ｂのいずれか一方から清掃シート３０を挿脱すると、該シート３０が溝部１２３ａ，１２３ｂに案内されて表示部１１１を摺接しながら他方の開口部に到達し、塵埃を表示装置３の外部へと押しのける。
【００３５】
このように、本実施系形態における表示装置３は、ＬＣＤ表示パネル１１とタッチパネル１３との間に覗き見防止フィルム１５が介在しているが、かかる場合であっても開口部１２２ａ，１２２ｂから清掃シート３０を挿脱することで、表示部１１１と覗き見防止フィルム１５との間に形成された隙間ｈに混入した塵埃を取り除くことができる。
【００３６】
その他、前実施形態と同様の効果を奏することはいうまでもない。
【００３７】
なお、この発明は前記各実施形態そのままに限定されるものではなく、実施段階においてはその要旨を逸脱しない範囲内にて各構成要素を適宜変形して具体化することができる。
【００３８】
例えば、前記各実施形態においては、本発明に係る表示装置をＰＯＳ端末が備える表示装置に適用した場合について説明したが、他の電子機器が備える表示機器や、他の電子機器に接続されて使用される表示装置に適用してもよい。
【００３９】
また、上記各実施形態においては、フロントベゼル１２の左右両辺の側壁に一対の開口部１２２ａ，１２２ｂを設ける場合について説明したが、清掃シート３０の開口部を設ける位置はこれに限定されない。その他、フロントベゼル１２の上下両辺の側壁に一対の開口部を設けてもよい。
【００４０】
また、清掃シート３０を挿脱するための開口部は、一対として設けるのではなく、フロントベゼル１２の一辺の側壁に１つだけ設けてもよい。この場合であっても、清掃シート３０を該開口部に挿脱することにより、ＬＣＤ表示パネル１１とタッチパネル１３あるいは覗き見防止フィルム１５との間に形成される隙間に入り込んだ塵埃を除去することができるので、発明の目的を達成することができる。
【００４１】
この他、前記各実施形態に開示されている複数の構成要素の適宜な組合せにより種々の発明を形成できる。例えば、各実施形態に示される全構成要素から幾つかの構成要素を削除してもよい。さらに、異なる実施形態に亘る構成要素を組み合わせてもよい。
【符号の説明】
【００４２】
１０…バックカバー、１１…ＬＣＤ表示パネル、１２…フロントベゼル、１３…タッチパネル、１４…フロントカバー、３０…清掃シート、１１１…表示部、１１２…バックライトシステム、１２１…ガイド、１２２ａ，１２２ｂ…開口部、１２３ａ，１２３ｂ…溝部、１３１…出力端子
【先行技術文献】
【特許文献】
【００４３】
【特許文献１】特開平８−１８５５６０号公報
【図１】
2011011136.tif 000003
【図２】
2011011136.tif 000004
【図３】
2011011136.tif 000005
【図４】
2011011136.tif 000006
【図５】
2011011136.tif 000007
【図６】
2011011136.tif 000008
【図７】
2011011136.tif 000009